(57)【要約】【課題】  被検試料から蒸発した成分による汚染を防ぐことが可能な自動分析装置を提供する。【解決手段】  ダクト６４の他端部に配置され、分析部カバー１９を閉じると分析制御部３０の制御部３２から出力される制御信号に基づいてファン６５が作動し、サンプラ部６外の空気を吸引開口部６８からサンプラ部６内に吸気する。更に、その吸気した空気や、サンプラ部６内の試料容器１７から蒸発したサンプルの蒸発成分を含む空気をダクト６４を介して吸気し、吸気した空気や蒸発成分を外部に排気する。【選択図】  図３
2008082930.tif 000002
【特許請求の範囲】
【請求項１】
被検試料及び試薬を反応容器に分注してその混合液を測定する自動分析装置において、
前記被検試料を試料容器から吸引して前記反応容器に吐出するサンプル分注プローブと、
前記サンプル分注プローブが前記試料容器から被検試料を吸引するための開口部を備えた前記試料容器を収容するサンプラ部と、
前記反応容器、前記サンプル分注プローブ、及び前記開口部を覆う分析部カバーと、
前記サンプラ部内を前記自動分析装置外部と連通させて、前記サンプラ部内の空気を排気する排気手段とを
備えたことを特徴とする自動分析装置。
【請求項２】
前記排気手段の排気口を前記自動分析装置の正面以外の位置に設けたことを特徴とする請求項１に記載の自動分析装置。
【請求項３】
被検試料及び試薬を反応容器に分注してその混合液を測定する自動分析装置において、
前記被検試料を試料容器から吸引して前記反応容器に吐出するサンプル分注プローブと、
前記サンプル分注プローブが前記試料容器から被検試料を吸引するための開口部を備えた前記試料容器を収容するサンプラ部と、
前記反応容器の近傍に位置して前記自動分析装置外部の空気を吸気するための吸気口と、
前記開口部の近傍に位置して内部の空気を排気するための排気口と、
前記反応容器、前記サンプル分注プローブ、及び前記開口部を覆う分析部カバーと、
前記吸気口から吸気した空気を前記排気口から排気する排気手段とを
備えたことを特徴とする自動分析装置。
【請求項４】
前記吸気口及び前記排気口を前記分析部カバーに設けたことを特徴とする請求項３に記載の自動分析装置。
【請求項５】
前記排気手段の排気口を前記自動分析装置の正面以外の位置に設けたことを特徴とする請求項３に記載の自動分析装置。
【請求項６】
前記排気手段は、前記自動分析装置外部の空気を前記吸気口から前記分析部カバー内に吸気し、吸気した空気を前記反応容器の近傍から前記開口部の近傍を経由して前記排気口から排気するようにしたことを特徴とする請求項３に記載の自動分析装置。
【請求項７】
前記分析部カバーは、前記反応容器、前記サンプル分注プローブ及び前記サンプラ部を載置する支持体に開閉自在に取り付けられ、
前記排気手段は、前記分析部カバーを閉じたときに、排気するようにしたことを特徴とする請求項１乃至請求項６に記載の自動分析装置。
【請求項８】
被検試料及び試薬を反応容器に分注してその混合液を測定する自動分析装置において、
前記被検試料を試料容器から吸引して前記反応容器に吐出するサンプル分注プローブと、
前記サンプル分注プローブが前記試料容器から被検試料を吸引するための第１の開口部を備えた前記試料容器を収容するサンプラ部と、
前記自動分析装置外部の空気を吸気するための吸気口を備え且つ前記反応容器の上面開口部を覆う反応容器カバーと、
前記反応容器、前記サンプル分注プローブ、及び前記第１の開口部を覆う分析部カバーと、
前記吸気口から外部の空気を吸気して前記反応容器カバー内に送給する送給手段とを
備えたことを特徴とする自動分析装置。
【請求項９】
前記反応容器カバーは、少なくとも前記サンプル分注プローブが吸引した被検試料を前記反応容器内に吐出するための第２の開口部を有し、
前記送給手段は、前記反応容器カバー内に送給した空気を前記第２の開口部から排気するようにしたことを特徴とする請求項８に記載の自動分析装置。
【発明の詳細な説明】
【技術分野】
【０００１】
本発明は、被検試料の成分を分析する自動分析装置に係り、特に、ヒトの血液や尿などの体液中に含まれる成分を分析する自動分析装置に関する。
【背景技術】
【０００２】
自動分析装置は生化学検査項目や免疫検査項目などを対象とし、反応容器に分注した被検体から採取した被検試料と、分析を行う測定項目に該当する試薬との混合液の反応によって生ずる色調などの変化を、光の透過量を測定することにより、被検試料中の様々な成分の濃度や酵素の活性を測定する。
【０００３】
この自動分析装置では、被検試料毎に分析条件の設定により測定可能になった多数の項目の中から、検査に応じて選択された測定項目の測定が行われる。そして、被検試料及び測定項目に該当する試薬は、サンプル及び試薬分注プローブで反応容器に分注され、反応容器に分注された被検試料及び試薬の混合液は撹拌子で撹拌され、撹拌された混合液は測光部で測定される。更に、サンプル及び試薬分注プローブ、反応容器、撹拌子などの分析ユニットは、洗浄された後に繰り返し測定に使用される。
【０００４】
ところで、測定項目の標準試料及び被検試料などのサンプルを収容した試料容器や測定項目の試薬を収容した試薬ボトルを、サンプラ部や試薬庫に収納した後、高速で作動する分析ユニットへの接触による危険から装置の操作者の安全を確保するために、試料容器、試薬ボトル、分析ユニットなどを覆うカバーを閉じてから測定を行うことが知られている（例えば、特許文献１参照。）。
【特許文献１】特開平１０−２２７７９７号公報
【発明の開示】
【発明が解決しようとする課題】
【０００５】
しかしながら、カバーを閉じた状態で測定を行うと、被検試料に例えば尿及び血清が含まれ、血清にアンモニアの測定項目が含まれている場合、サンプラ部の試料容器内の尿から蒸発した多量のアンモニアがカバーの内側で滞留し、この滞留したアンモニアによって反応容器内のアンモニアを測定する血清の混合液などが汚染される。これにより、その混合液の分析データが悪化する問題がある。
【０００６】
本発明は、上記問題点を解決するためになされたもので、サンプルから蒸発した成分による汚染で分析データが悪化するのを防ぐことが可能な自動分析装置を提供することを目的とする。
【課題を解決するための手段】
【０００７】
上記目的を達成するために、請求項１に係る本発明の自動分析装置は、被検試料及び試薬を反応容器に分注してその混合液を測定する自動分析装置において、前記被検試料を試料容器から吸引して前記反応容器に吐出するサンプル分注プローブと、前記サンプル分注プローブが前記試料容器から被検試料を吸引するための開口部を備えた前記試料容器を収容するサンプラ部と、前記反応容器、前記サンプル分注プローブ、及び前記開口部を覆う分析部カバーと、前記サンプラ部内を前記自動分析装置外部と連通させて、前記サンプラ部内の空気を排気する排気手段とを備えたことを特徴とする。
【０００８】
また、請求項３に係る本発明の自動分析装置は、被検試料及び試薬を反応容器に分注してその混合液を測定する自動分析装置において、前記被検試料を試料容器から吸引して前記反応容器に吐出するサンプル分注プローブと、前記サンプル分注プローブが前記試料容器から被検試料を吸引するための開口部を備えた前記試料容器を収容するサンプラ部と、前記反応容器の近傍に位置して前記自動分析装置外部の空気を吸気するための吸気口と、前記開口部の近傍に位置して内部の空気を排気するための排気口と、前記反応容器、前記サンプル分注プローブ、及び前記開口部を覆う分析部カバーと、前記吸気口から吸気した空気を前記排気口から排気する排気手段とを備えたことを特徴とする。
【０００９】
更に、請求項８に係る本発明の自動分析装置は、被検試料及び試薬を反応容器に分注してその混合液を測定する自動分析装置において、前記被検試料を試料容器から吸引して前記反応容器に吐出するサンプル分注プローブと、前記サンプル分注プローブが前記試料容器から被検試料を吸引するための第１の開口部を備えた前記試料容器を収容するサンプラ部と、前記自動分析装置外部の空気を吸気するための吸気口を備え且つ前記反応容器の上面開口部を覆う反応容器カバーと、前記反応容器、前記サンプル分注プローブ、及び前記第１の開口部を覆う分析部カバーと、前記吸気口から外部の空気を吸気して前記反応容器カバー内に送給する送給手段とを備えたことを特徴とする。
【発明の効果】
【００１０】
本発明によれば、試料容器から蒸発したサンプルの蒸発成分が反応容器の近傍に拡散するのを防ぎ、精度よく測定することができる。
【発明を実施するための最良の形態】
【００１１】
以下、本発明の実施例を説明する。
【実施例１】
【００１２】
以下、本発明による自動分析装置の実施例１を、図１乃至図４を参照して説明する。  
図１は、実施例１に係る自動分析装置の構成を示したブロック図である。この自動分析装置１００は、各項目の標準試料や被検体から採取された血清及び尿などの被検試料の測定を行う分析ユニットを有する分析部１８と、分析部１８における各分析ユニットの測定動作の制御を行う分析制御部３０と、標準試料や被検試料の測定により分析部１８から出力された標準試料データや被検試料データを処理して検量線の作成や分析データの生成を行うデータ処理部４０とを備えている。
【００１３】
また、自動分析装置１００は、データ処理部４０で作成された検量線や生成された分析データを出力する出力部５０と、各項目の標準試料や検量線に関する分析条件の入力や、各種コマンド信号の入力などを行う操作部７０と、分析制御部３０、データ処理部４０、及び出力部５０を統括して制御するシステム制御部８０とを備えている。
【００１４】
図２は、分析部１８の構成の詳細を示した図である。この分析部１８は、標準試料や被検試料のサンプルを収容した試料容器１７及びこの試料容器１７を保持するディスクサンプラ６１等を有するサンプラ部６と、サンプルに含まれる各項目の成分に対して選択的に反応する第１試薬や第１試薬と対をなす第２試薬が入った試薬ボトル７とを備えている。
【００１５】
また、試薬ボトル７を収納する試薬ラック１と、第１試薬の入った試薬ボトル７を収納した試薬ラック１を収納する試薬庫２と、第２試薬の入った試薬ボトル７を収納した試薬ラック１を収納する試薬庫３と、吐出されたサンプル及び試薬を収容する上側が開口した反応容器４及び円周上に複数の反応容器４を保持する反応ディスク５３等を有する反応部５とを備えている。そして、試薬庫２、試薬庫３、及びディスクサンプラ６１は夫々回動し、反応ディスク５３は回転して分析制御部３０により制御された位置に停止する。
【００１６】
更に、試料容器１７からサンプルを吸引して反応容器４に吐出する分注動作を行うサンプル分注プローブ１６と、試薬庫２，３の試薬ボトル７から第1及び第２試薬を吸引して反応容器４に吐出する分注動作を行う第１及び第２試薬分注プローブ１４，１５と、第１試薬分注プローブ１４、第２試薬分注プローブ１５、及びサンプル分注プローブ１６を夫々回動及び上下動可能に保持する第１試薬分注アーム８、第２試薬分注アーム９、及びサンプル分注アーム１０とを備えている。
【００１７】
更にまた、反応容器４内に吐出されたサンプル及び第１試薬からなる混合液や、サンプル、第１試薬、及び第２試薬からなる混合液を撹拌する撹拌ユニット１１と、混合液を収容した反応容器４を測定する測光ユニット１３と、反応容器４内の測定を終えた混合液を吸引すると共に、反応容器４内を洗浄・乾燥する洗浄ユニット１２と、前述した各分析ユニットを支持する支持体２０と、開閉自在に各分析ユニットを覆うための分析部カバー１９とを備えている。
【００１８】
測光ユニット１３は、回転移動する反応容器４に光を照射して、標準試料を含む混合液を透過した光を吸光度に変換して標準試料データを生成した後、データ処理部４０に出力する。また、被検試料を含む混合液を透過した光を吸光度に変換して被検試料データを生成した後、データ処理部４０に出力する。
【００１９】
そして、測定後の反応容器４、サンプル分注プローブ１６、第１及び第２試薬分注プローブ１４，１５、撹拌ユニット１１などの各分析ユニットは、洗浄された後、再び測定に使用される。
【００２０】
分析制御部３０は、分析部１８の各分析ユニットを駆動する機構を備えた機構部３１と、機構部３１の各機構を制御する制御部３２とを備えている。機構部３１は、試薬庫２、試薬庫３、及びサンプラ部６のディスクサンプラ６１を夫々回動する機構、反応部５の反応ディスク５３を回転する機構、サンプル分注アーム１０、第１試薬分注アーム８、第２試薬分注アーム９、及び撹拌ユニット１１を夫々回動及び上下移動する機構、洗浄ユニット１２を上下移動する機構等を備えている。
【００２１】
図１のデータ処理部４０は、分析部１８から出力された標準試料データや被検試料データから検量線の作成や分析データの生成を行う演算部４１と、演算部４１で作成された検量線や生成された分析データなどを保存する記憶部４２とを備えている。
【００２２】
演算部４１は、分析部１８の測光ユニット１３から出力された各項目の標準試料データから検量線を作成して記憶部４２に保存すると共に出力部５０に出力する。また、分析部１８の測光ユニット１３から出力された各項目の被検試料データに対して、その項目の検量線を記憶部４２から読み出し、その読み出した検量線を用いて濃度や活性値などの分析データを生成して記憶部４２に保存すると共に出力部５０に出力する。
【００２３】
記憶部４２は、ハードディスクなどを備え、演算部４１から出力された検量線を項目毎に保存し、演算部４１から出力された分析データを被検試料毎に保存する。
【００２４】
出力部５０は、データ処理部４０から出力された検量線、分析データなどを印刷出力する印刷部５１及び表示出力する表示部５２を備えている。そして、印刷部５１は、プリンタなどを備え、データ処理部４０から出力された検量線、分析データなどを予め設定されたフォーマットに基づいて、プリンタ用紙に印刷出力する。表示部５２は、ＣＲＴや液晶パネルなどのモニタを備え、各項目の標準試料や検量線などの分析条件を設定するための標準試料設定画面や検量線設定画面などの表示や、データ処理部４０から出力された検量線、分析データなどの表示を行う。
【００２５】
操作部７０は、キーボード、マウス、ボタン、タッチキーパネルなどの入力デバイスを備え、各項目の標準試料や検量線などの分析条件の設定、被検体の被検体ＩＤや被検体名などの被検体情報の入力、被検体の被検試料毎の測定する項目の選択、各項目のキャリブレーション操作、被検試料測定操作などの様々な操作が行われる。
【００２６】
システム制御部８０は、図示しないＣＰＵと記憶回路を備え、操作部７０から供給される操作者のコマンド信号、各項目の標準試料や検量線などの分析条件、被検体情報、被検試料毎の測定項目などの情報を記憶した後、これらの情報に基づいて、分析部１８を構成する各分析ユニットを一定サイクルの所定のシーケンスで測定動作させる制御、或いは検量線の作成、分析データの生成と出力に関する制御などシステム全体の制御を行なう。
【００２７】
次に、図２乃至図４を参照して、分析部１８におけるサンプラ部６の構成の詳細を説明する。図３は、サンプラ部６の構成の詳細を示した図である。また、図４は、図３に示したサンプラ部６を説明するために自動分析装置１００の概観を示した図である。
【００２８】
図３（ａ）は、分析部１８のサンプラ部６、反応部５、支持体２０、及び分析部カバー１９を上から見た図である。また、図３（ｂ）は、図３（ａ）に示した断面線６９におけるサンプラ部６の断面を拡大して正面から見た図である。
【００２９】
サンプラ部６は、サンプルを収容した試料容器１７と、この試料容器１７を回動可能に保持するディスクサンプラ６１と、ディスクサンプラ６１を収納するサンプラケース６２と、サンプラケース６２内の試料容器１７を覆うための着脱自在のサンプラカバー６３と、サンプラケース６２内と自動分析装置１００の外部の間を連通しているダクト６４とを備えている。
【００３０】
また、ダクト６４を介してサンプラケース６２及びサンプラカバー６３内を吸気して外部に排気するファン６５と、分析部カバー１９を閉じたときにファン６５を作動させる近接センサ６６とを備えている。
【００３１】
サンプラケース６２は、支持体２０で支持され、上側にディスクサンプラ６１よりも大きな円形の開口部を形成し、底面近傍の側面の一部に吸気口６７を形成している。
【００３２】
サンプラカバー６３は、サンプラケース６２の開口部を覆うためにサンプラケース６２の上側に配置され、サンプル分注プローブ１６が試料容器１７からサンプルの吸引が可能なように吸引開口部６８を有している。
【００３３】
ダクト６４は、一端面がサンプラケース６２の吸気口６７に接合し、他端部が図４に示した自動分析装置１００の外装カバー１０１の近傍に位置されている。
【００３４】
ファン６５は、ダクト６４の他端部に配置され、分析部カバー１９を閉じると分析制御部３０の制御部３２から出力される制御信号に基づいて作動し、分析部カバー１９を開けると停止するようになっている。そして、分析部カバー１９を閉じると、サンプラカバー６３の外側の空気をサンプラカバー６３の吸引開口部６８からサンプラケース６２及びサンプラカバー６３で構成する空間内に吸気する。更に、その吸気した空気や、サンプラケース６２及びサンプラカバー６３内の試料容器１７から蒸発したサンプルの蒸発成分を含む空気をダクト６４を介して吸気し、吸気した空気や蒸発成分を排気口１０６から外部に排気する。
【００３５】
近接センサ６６は、分析部カバー１９の縁部に配置された例えば磁石及び支持体２０に配置されたリードスイッチにより構成される。そして、分析部カバー１９を閉じたときに磁石がリードスイッチに近接してリードスイッチのリード片を動作させ、リードスイッチをＯＮする。このスイッチＯＮの信号が制御部３２に出力される。制御部３２では、近接センサ６６からの信号に基づいてファン６５を作動させる。
【００３６】
このように、分析部カバー１９を閉じたときに、ダクト６４を介してサンプラ部６内の空気を外部に排気することにより、試料容器１７内の蒸発しやすい成分を含むサンプルから蒸発した成分がサンプラ部６内に滞留して高濃度になるのを防ぐことができる。また、サンプラ部６内のサンプルの蒸発成分が拡散して分析部カバー１９とサンプラ部６の間に滞留し、反応容器４近傍におけるサンプルの蒸発成分が高濃度になるのを防ぐことができる。
【００３７】
これにより、サンプルの蒸発成分による反応容器４内の混合液や、そのサンプルを収容していない試料容器１７内のサンプルの汚染を防ぐことができる。
【００３８】
また、分析部カバー１９を開けた状態ではサンプルの蒸発成分が外気中に拡散し、サンプラ部６内や反応容器４の近傍で滞留しないので、分析部カバー１９を開けたときにファン６５を停止させることにより、不用な動作を省くことができる。
【００３９】
なお、サンプラカバー６３がない状態で分析部カバー１９を閉じても、分析部カバー１９内の空気及びサンプラケース６２内の試料容器１７から蒸発したサンプルの蒸発成分を含む空気を、ダクト６４を介して外部に排気することができる。これにより、サンプルの蒸発成分による反応容器４内の混合液や、そのサンプルを収容していない試料容器１７内のサンプルの汚染を防ぐことができる。
【００４０】
図４は、自動分析装置１００の概観を示した図である。自動分析装置１００の外面は、上側に配置された分析部１８の分析部カバー１９、及びこの分析部カバー１９の下側に配置された外装カバー１０１により構成される。
【００４１】
分析部カバー１９は、自動分析装置１００の背面側の分析部カバー１９の縁部に一片が固定され、他片が分析部１８の支持体２０に固定された２つの蝶番２０ａを回動軸として、図４に示した矢印Ｒ１方向に開閉自在に支持体２０に保持されている。
【００４２】
外装カバー１０１は、自動分析装置１００の操作者が操作する図示した正面側の正面カバー１０２、右側面カバー１０３、左側面カバー１０４、及び背面カバー１０５により構成されている。そして１０６は、右側面カバー１０３に設けた分析部１８のサンプラ部６内の吸気された空気を外部に排気するための排気口である。
【００４３】
このように、右側面カバー１０３に排気口１０６を設けることにより、サンプラ部６からのサンプルの蒸発成分を含む排気が操作者に触れるのを防ぐことができる。
【００４４】
なお、ダクト６４からの排気を排気口１０６に設けた外部ダクトを介して左側面カバー又は背面カバーに設けた排気口から排出させるようにしてもよい。また、自動分析装置１００の底部から排出させるようにしてもよい。
【００４５】
以上述べた本発明の実施例１によれば、サンプラ部６にダクト６４及びファン６５を設け、分析部カバー１９を閉じているときに、サンプラ部６内の試料容器１７から蒸発したサンプルの蒸発成分を含む空気を、分析部カバー１９とサンプラ部６の間の空気から隔離して外部に排気することにより、サンプル蒸発成分による反応容器４内の混合液や試料容器１７内のサンプルの汚染を防ぐことができる。これにより、分析データの悪化を防ぎ、精度よく測定することができる。
【００４６】
また、分析部カバー１９を開けたときにファン６５を停止させることにより、不用な動作を省くことができる。
【００４７】
更に、排気口を正面側以外の位置に設けることにより、サンプラ部６内で蒸発したサンプルの蒸発成分が操作者に触れるのを防ぐことができる。
【実施例２】
【００４８】
以下、本発明による自動分析装置の分析部の実施例２を、図５を参照して説明する。図５は、実施例２に係る分析部１８ａのサンプラ部及び分析部カバーの構成の詳細を示した図である。そして、図５（ａ）は、分析部１８ａの反応部５、分析部カバー、及びサンプラ部を上から見た図である。また、図５（ｂ）は、図５（ａ）に示した分析部１８ａの各ユニットの断面線６９ａにおける断面を正面から見た図である。
【００４９】
図５に示した実施例２が図３における実施例１と異なる点は、分析部カバーに吸気口及び排気口を設けた点と、この吸気口から吸気して排気口から排気するファンを分析部カバーの排気口の近傍に配置した点である。なお、実施例２において図２と同様であるユニットは同じ符号を付与し、説明を省略する。
【００５０】
分析部１８ａの分析部カバー１９ａは、反応部５の近傍の図示した左側面に設けた外部の空気を吸気するための吸気口１９ａ１と、サンプラ部６ａの近傍の右側面に設けた内部の空気を排気するための排気口１９ａ２とを有している。なお、吸気口を反応部５の近傍の左側面及び背面、又は反応部５の近傍の背面に設けるようにしてもよい。
【００５１】
サンプラ部６ａは、サンプルを収容した試料容器１７と、試料容器１７を回動可能に保持するディスクサンプラ６１と、ディスクサンプラ６１を収納するサンプラケース６２と、吸引開口部６８を有するサンプラケース６２を覆うためのサンプラカバー６３と、分析部カバー１９ａの排気口１９ａ２の近傍に配置されたファン６５ａと、分析部カバー１９ａを閉じたときにファン６５ａを作動させる近接センサ６６ａとを備えている。なお、ファンを吸気口近傍に配置するようにしてもよい。
【００５２】
ファン６５ａは、支持体２０で支持され、分析部カバー１９ａを閉じると作動し、分析部カバー１９ａを開けると停止するようになっている。そして、分析部カバー１９ａを閉じたとき、分析部カバー１９ａの吸気口１９ａ１から分析部カバー１９ａ内に外部の空気を吸気する。吸気した外部の空気を、分析部カバー１９ａ内の空気及びサンプラ部６ａ内から拡散した空気と共に、図６の矢印で示した反応部５の近傍からサンプラ部６ａの近傍を経由して分析部カバー１９ａの排気口１９ａ２から外部へ排気する。
【００５３】
近接センサ６６ａは、分析部カバー１９ａの縁部に配置された例えば磁石及び支持体２０に配置されたリードスイッチにより構成される。そして、分析部カバー１９ａを閉じたときに磁石がリードスイッチに近接してリードスイッチのリード片を動作させて、リードスイッチをＯＮする。このスイッチＯＮの信号が制御部３２に出力される。制御部３２では、近接センサ６６ａからの信号に基づいてファン６５ａを作動させる。
【００５４】
なお、分析部カバー１９ａを平板とし、外装カバーの上端面に分析部カバー１９ａを載置するような構成としてもよい。そして、外装カバーの左側面に吸気口を設け、外装カバーの右側面に排気口を設けるようにしてもよい。
【００５５】
このように、分析部カバー１９ａを閉じたときに、外部の空気を吸気口１９ａ１から吸気して排気口１９ａ２から排気することにより、試料容器１７内の蒸発しやすい成分を含むサンプルから蒸発した成分がサンプラ部６ａ内に滞留して高濃度になるのを防ぐことができる。また、サンプラ部６ａ内のサンプルの蒸発成分が拡散して分析部カバー１９ａとサンプラ部６ａの間に滞留し、反応容器４近傍におけるサンプルの蒸発成分が高濃度になるのを防ぐことができる。
【００５６】
これにより、サンプルの蒸発成分による反応容器４内の混合液や、そのサンプルを収容していない試料容器１７内のサンプルの汚染を防ぐことができる。
【００５７】
また、分析部カバー１９ａを開けたときにファン６５ａを停止させることにより、不用な動作を省くことができる。
【００５８】
更に、分析部カバー１９ａの側面に排気口１９ａ２を設けることにより、サンプラ部６ａ内からの排気が操作者に触れるのを防ぐことができる。
【００５９】
なお、サンプラカバー６３がない状態で分析部カバー１９ａを閉じても、分析部カバー１９ａ内の空気及びサンプラケース６２内の試料容器１７から蒸発したサンプルの蒸発成分を含む空気を、排気口１９ａ２から排気することができる。これにより、サンプルの蒸発成分による反応容器４内の混合液や、そのサンプルを収容していない試料容器１７内のサンプルの汚染を防ぐことができる。
【００６０】
以上述べた本発明の実施例２によれば、分析部カバー１９ａの反応部５及びサンプラ部６ａの近傍に吸気口１９ａ１及び排気口１９ａ２を設け、分析部カバー１９ａを閉じたときに吸気口１９ａ１から外部の空気を吸気し、排気口１９ａ２から排気することにより、サンプル蒸発成分による反応容器４内の混合液や試料容器１７内のサンプルの汚染を防ぐことができる。これにより、分析データの悪化を防ぎ、精度よく測定することができる。
【００６１】
また、分析部カバー１９ａを開けたときにファン６５ａを停止させることにより、不用な動作を省くことができる。
【００６２】
更に、排気口を正面側以外の位置に設けることにより、サンプラ部６ａ内で蒸発したサンプルの蒸発成分が操作者に触れるのを防ぐことができる。
【実施例３】
【００６３】
以下、本発明による自動分析装置の分析部の実施例３を、図６及び図７を参照して説明する。図６は、実施例３に係る分析部１８ｂの反応部、サンプラ部、及び分析部カバーの構成の詳細を示した図である。そして、図６（ａ）は、分析部１８ｂの反応部、サンプラ部、及び分析部カバーを上から見た図である。また、図６（ｂ）は、図６（ａ）に示した分析部１８ｂの各ユニットの断面線６９ｂにおける断面を正面から見た図である。更に、図７は、図６（ａ）に示した分析部１８ｂの各ユニットの断面線６９ｃにおける断面を左側面から見た図である。
【００６４】
図６に示した実施例３が図３における実施例１と異なる点は、サンプラ部からダクト及びファンを除き、反応部に反応容器４の開口部を覆うための反応部カバー及びこの反応部カバー内に外部の空気を送給するためのダクト及びファンを設けた点である。また、分析部カバーに外部の空気を吸気するための吸気口を設けた点である。なお、実施例３において図３と同様であるユニットは同じ符号を付与し、説明を省略する。
【００６５】
分析部１８ｂのサンプラ部６ｂは、サンプルを収容した試料容器１７と、試料容器１７を回動可能に保持するディスクサンプラ６１と、ディスクサンプラ６１を収納するサンプラケース６２と、吸引開口部６８を有するサンプラカバー６３とを備えている。
【００６６】
反応部５ｂは、混合液を収容した反応容器４と、円周上に複数の反応容器４を保持する反応ディスク５３と、回転移動する反応容器４の円軌道に合わせて上側が開口した円形の流路を形成し、その流路内に反応容器４が配置される反応槽５４と、反応槽５４の開口部を覆うための反応部カバー５５と、この反応部カバー５５内と一端部が連通接続し、他端部が分析部カバー１９ｂの吸気口１９ｂ１に近接して配置されたダクト５６とを備えている。
【００６７】
また、分析部カバー１９ｂの背面に設けられた吸気口１９ｂ１から外部の空気を吸気し、吸気した空気をダクト５６を介して反応部カバー５５内側に送給するファン５７と、分析部カバー１９ｂを閉じたときにファン５７を作動させる近接センサ５８とを備えている。
【００６８】
反応部カバー５５は、反応槽５４の上側に配置され、ダクト５６の一端部に接続している。そして、サンプル分注プローブ１６及び第１及び第２試薬分注プローブ１４，１５が反応容器４内にサンプル及び第１及び第２試薬を吐出可能なように３つの吐出口５５ａを有している。また、撹拌ユニット１１が反応容器４内の混合液を撹拌可能なように２つの撹拌口５５ｂを有している。更に洗浄ユニット１２が反応容器４内を洗浄可能なように洗浄口５５ｃを有している。
【００６９】
ファン５７は、ダクト５６の他端部に配置され、分析部カバー１９ｂを閉じると作動し、分析部カバー１９ｂを開けると停止するようになっている。そして、分析部カバー１９ｂを閉じると、外部の空気を吸気口１９ｂ１から吸気して反応部カバー５５内に送給する。その送給された空気は、吐出口５５ａ、撹拌口５５ｂ、及び洗浄口５５ｃから分析部カバー１９ｂ内に排気され、更に分析部カバー１９ｂと支持体２０の隙間から外部に排気される。
【００７０】
なお、分析部カバー１９ｂに排気口を設け、この排気口から反応部カバー５５内に送給された空気を排気させるようにしてもよい。
【００７１】
近接センサ５８は、分析部カバー１９ｂの縁部に配置された例えば磁石及び支持体２０に配置されたリードスイッチにより構成される。そして、分析部カバー１９ｂを閉じたときに磁石がリードスイッチに近接してリードスイッチのリード片を動作させて、リードスイッチをＯＮする。このスイッチＯＮの信号が制御部３２に出力される。制御部３２では、近接センサ５８からの信号に基づいてファン５７を作動させる。
【００７２】
このように、分析部カバー１９ｂを閉じたときに、外部の空気を吸気口１９ｂ１から吸気して反応部カバー５５内に送給し、吐出口５５ａ、撹拌口５５ｂ、及び洗浄口５５ｃから排気させることにより、サンプラ部６ｂ内のサンプルの蒸発成分が拡散して分析部カバー１９ｂとサンプラ部６ｂの間に滞留し、反応容器４近傍におけるサンプルの蒸発成分が高濃度になるのを防ぐことができる。
【００７３】
また、分析部カバー１９ｂを開けたときにファン５７を停止させることにより、不用な動作を省くことができる。
【００７４】
以上述べた本発明の実施例３によれば、反応部５ｂに反応部カバー５５、ダクト５６、及びファン５７を設け、また分析部カバー１９ｂに吸気口１９ｂ１を設けて、分析部カバー１９ｂを閉じているときに、反応部カバー５５内に外部の空気を送給することにより、サンプル蒸発成分による反応容器４内の混合液の汚染を防ぐことができる。これにより、分析データの悪化を防ぎ、精度よく測定することができる。
【００７５】
また、分析部カバー１９ｂを開けたときにファン５７を停止させることにより、ファン５７の不用な動作を省くことができる。
【図面の簡単な説明】
【００７６】
【図１】本発明の実施例１に係る自動分析装置の構成を示すブロック図。
【図２】本発明の実施例１に係る分析部の構成の詳細を示す図。
【図３】本発明の実施例１に係るサンプラ部の構成の詳細を示す図。
【図４】本発明の実施例１に係る自動分析装置の概観を示す図。
【図５】本発明の実施例２に係る分析部の分析部カバー及びサンプラ部の構成の詳細を示す図。
【図６】本発明の実施例３に係る分析部の反応部、サンプラ部、及び分析部カバーの構成の詳細を示す図。
【図７】本発明の実施例３に係る分析部の反応部及び分析部カバーの構成の詳細を示す図。
【符号の説明】
【００７７】
４  反応容器
５，５ｂ  反応部
６，６ａ，６ｂ  サンプラ部
１６  サンプル分注プローブ
１７  試料容器
１８，１８ａ，１８ｂ  分析部
１９，１９ａ，１９ｂ  分析部カバー
２０  支持体
２０ａ  蝶番
６１  ディスクサンプラ
６２  サンプラケース
６３  サンプラカバー
６４  ダクト
６５  ファン
６７  吸気口
６８  吸引開口部
１００  自動分析装置
１０３  右側面カバー
１０６  排気口
【図１】
2008082930.tif 000003
【図２】
2008082930.tif 000004
【図３】
2008082930.tif 000005
【図４】
2008082930.tif 000006
【図５】
2008082930.tif 000007
【図６】
2008082930.tif 000008
【図７】
2008082930.tif 000009